(57)【要約】【課題】中間開度での戸当り側のシートと扉体の間の隙間をなくして、異物の落ち込みを防止することができる逆作動ゲートを提供する。【解決手段】扉体６を上昇させることで放流用開口部３が閉じられ、この位置から下降させることによって放流用開口部３が開放される逆作動ゲートにおいて、放流用開口部３の前側に枠状の戸当り４を取付け、この戸当り４の前面に枠状の戸当り側のシート５を固着する。また、扉体６の裏面の全面に扉体側のシート７を設けることで、扉体６が放流用開口部３を閉じている全閉状態から中間開度まで下降しても、戸当り側のシート５と扉体６の間に隙間が形成されないようにする。【選択図】　　　　図１
2004044266.tif 000002
【特許請求の範囲】
【請求項１】
水路または水槽の放流端に構築された水門壁に貫設されている放流用開口部の前側に枠状の戸当りが取付けられ、この戸当りに沿って上昇する扉体により前記放流用開口部が閉じられ、戸当りに沿って下降する扉体により前記放流用開口部が開放されるとともに、戸当り側の枠状シートに扉体側のシートが密着して止水するように構成されている逆作動ゲートにおいて、前記扉体における前記戸当り側の枠状シートに対向する面の全面に扉体側のシートが設けられていることを特徴とする逆作動ゲート。
【発明の詳細な説明】
【０００１】
【発明の属する技術分野】
本発明は、逆作動ゲートに係り、特に中間開度での戸当り側のシートと扉体の間の隙間をなくして、異物の落ち込みを防止するように工夫した逆作動ゲートに関するものである。
【０００２】
【従来の技術】
水路または水槽などの放流設備の放流用開口部を開閉する逆作動ゲートとして、図３および図４に示すものが知られている。この逆作動ゲートは、水路または水槽１などの放流端に水門壁２が構築され、この水門壁２の上部に放流用開口部３が貫設されている。放流用開口部３の前側に枠状の戸当り４が取付けられ、この戸当り４の前面には金属製枠状の戸当り側のシート５が固着されている。また、扉体６の裏面に金属製枠状の扉体側のシート７が固着されており、扉体６の幅方向両端部の前面を戸当り４の前側に取付けられた案内板８の裏面に沿わせた状態で、開閉機構９によりスピンドル１０を介して扉体６を昇降させることで放流用開口部３が開閉される。つまり、扉体６を図３および図４の位置まで引上げることで放流用開口部３が閉じられ、この位置から吊り降ろすことによって放流用開口部３が開放される。
【０００３】
ところで、扉体６が放流用開口部３を閉じている全閉状態では、図５に示すように、枠状の扉体側のシート７における上側横部７Ａ，下側横部７Ｂ，および両側縦部７Ｃ，７Ｃの裏面が枠状の戸当り側のシート５における上側横部５Ａ，中間横部５Ｂ，および両側縦部５Ｃ，５Ｃの表面に密着して止水することができる。また、流体中に多くの異物が混入している下水処理場などに使用しても、扉体６が上昇して全閉になるため、扉体６が下降して全閉になる通常のゲートと比較して異物をかみ込み難い利点を有している。
【０００４】
【発明が解決しようとする課題】
ところが、扉体６が放流用開口部３を閉じている全閉状態から中間開度まで下降し、これに伴って、図６に示すように、枠状の扉体側のシート７における上側横部７Ａが枠状の戸当り側のシート５における上側横部５Ａと中間横部５Ｂの間の位置まで下降すると、図７に示すように、戸当り側のシート５における中間横部５Ｂと扉体６の間に隙間１１が形成され、この隙間１１に異物が落ち込んで堆積し、扉体６の作動を困難にすることが懸念される。
【０００５】
本発明は、このような事情に鑑みてなされたもので、中間開度での戸当り側のシートと扉体の間の隙間をなくして、異物の落ち込みを防止することができる逆作動ゲートを提供することを目的としている。
【０００６】
【課題を解決するための手段】
前記目的を達成するために、本発明に係る逆作動ゲートは、水路または水槽の放流端に構築された水門壁に貫設されている放流用開口部の前側に枠状の戸当りが取付けられ、この戸当りに沿って上昇する扉体により前記放流用開口部が閉じられ、戸当りに沿って下降する扉体により前記放流用開口部が開放されるとともに、戸当り側の枠状シートに扉体側のシートが密着して止水するように構成されている逆作動ゲートにおいて、前記扉体における前記戸当り側の枠状シートに対向する面の全面に扉体側のシートが設けられていることを特徴としている。
【０００７】
本発明によれば、扉体側のシートが扉体における戸当り側の枠状シートに対向する面の全面に設けられているので、扉体が中間開度に下降しても戸当り側のシートと扉体の間に隙間が形成されることはない。
【０００８】
【発明の実施の形態】
以下、本発明の一実施の形態を図面に基づいて説明する。図１は本発明の一実施の形態の全閉状態を示す縦断側面図である。なお、前記従来の逆作動ゲートと同一もしくは相当部分には同一符号を付して説明する。
【０００９】
図１において、水路または水槽１などの放流端に水門壁２が構築され、この水門壁２の上部に放流用開口部３が貫設されている。放流用開口部３の前側に枠状の戸当り４が取付けられ、この戸当り４の前面には金属製枠状の戸当り側のシート５が固着されている。また、扉体６の裏面の全面に金属製の扉体側のシート７が設けられており、扉体６の幅方向両端部の前面を戸当り４の前側に取付けられた案内板８の裏面に沿わせた状態で、開閉機構９によりスピンドル１０を介して扉体６を昇降させることで放流用開口部３が開閉される。つまり、扉体６を図１の位置まで引上げることで放流用開口部３が閉じられ、この位置から吊り降ろすことによって放流用開口部３が開放される。また、扉体６の上端面は、裏側から前側にかけて下がり勾配の傾斜面１２に形成されている。
【００１０】
このような構成であれば、扉体６が放流用開口部３を閉じている全閉状態では、扉体側のシート７における周縁部の裏面が枠状の戸当り側のシート５における上側横部５Ａ，中間横部５Ｂ，および両側縦部５Ｃ，５Ｃの表面に密着して止水することができる。また、流体中に多くの異物が混入している下水処理場などに使用しても、扉体６が上昇して全閉になるため、扉体６が下降して全閉になる通常のゲートと比較して異物をかみ込み難い利点を有しているばかりか、扉体６の上端面が裏側から前側にかけて下がり勾配の傾斜面１２に形成されているので、扉体６の上端面に異物がのりにくく、たとえ異物がのったとしても扉体６の作動時に自然に滑落するため、扉体６の上端面に異物が堆積するのを防止できる。
【００１１】
一方、扉体６が放流用開口部３を閉じている全閉状態から中間開度まで下降しても、扉体側のシート７が扉体６の裏面の全面に設けられているので、図２に示すように、戸当り側のシート５と扉体６の間に隙間が形成されることはない。したがって、従来の逆作動ゲートのように、隙間１１に異物が落ち込んで堆積して、扉体６の作動を困難にするような不都合が発生するのを確実に防止することができる。
【００１２】
【発明の効果】
以上説明したように、本発明の逆作動ゲートは構成されているので、以下のような格別な効果を奏する。
【００１３】
すなわち、扉体側のシートが扉体における戸当り側の枠状シートに対向する面の全面に設けられているので、扉体が中間開度に下降しても戸当り側のシートと扉体の間に隙間が形成されることはない。このため、従来の逆作動ゲートのように、隙間に異物が落ち込んで堆積して、扉体の作動を困難にするような不都合が発生するのを確実に防止することができる。
【図面の簡単な説明】
【図１】本発明の一実施の形態の全閉状態を示す縦断側面図である。
【図２】扉体の中間開度での扉体側のシートと戸当り側の枠状シートとの関係を示す横断平面図である。
【図３】従来例の半截正面図である。
【図４】図３の縦断側面図である。
【図５】全閉状態での扉体側のシートと戸当り側のシートの関係を示す斜視図である。
【図６】中間開度での扉体側のシートと戸当り側のシートの関係を示す斜視図である。
【図７】図６のＡ−Ａ線断面図である。
【符号の説明】
１　水路または水槽
２　水門壁
３　放流用開口部
４　戸当り
５　戸当り側のシート
６　扉体
７　扉体側のシート
【図１】
2004044266.tif 000003
【図２】
2004044266.tif 000004
【図３】
2004044266.tif 000005
【図４】
2004044266.tif 000006
【図５】
2004044266.tif 000007
【図６】
2004044266.tif 000008
【図７】
2004044266.tif 000009